(57)【特許請求の範囲】
【請求項１】
開口部を有する筐体と、
正回転された状態においては前記開口部から前記筐体内に空気を取り込み、逆回転された状態においては前記開口部から前記筐体内の空気を排出するファンと、
前記開口部と前記筐体の内部とを繋ぐ第一流路と、
前記第一流路に設けられた、粉塵を捕捉するためのフィルタと、
前記第一流路における前記フィルタよりも前記開口部側の部分と、前記筐体の内部とを繋ぐ第二流路と、
前記ファンが正回転されている状態においては前記第一流路と前記第二流路との境界を遮蔽して前記第一流路と前記第二流路を分断し、前記ファンが逆回転されている状態においては前記第一流路と前記第二流路とを連通させる流路切替機構と、
前記ファンが正回転されている状態においては前記フィルタを通過した空気を前記筐体の内部に流入させ、前記ファンが逆回転されている状態においては前記筐体の内部から前記フィルタへの空気の流入を防ぐ逆流防止部と、を備える投影装置。
【請求項２】
請求項１記載の投影装置であって、
前記流路切替機構は、前記第一流路と前記第二流路との境界を遮蔽して前記第一流路と前記第二流路を分断する第一位置と、前記第一流路と前記第二流路の前記境界を開放して前記第一流路と前記第二流路を連通させる第二位置と、の間にて移動する可動部材と、前記可動部材を駆動する駆動部と、により構成される投影装置。
【請求項３】
請求項２記載の投影装置であって、
前記第二流路の前記開口部側の端部は、前記境界に対して傾斜又は前記境界から離れる方向に湾曲している投影装置。
【請求項４】
請求項１から３のいずれか１項記載の投影装置であって、
前記第一流路における前記フィルタと前記開口部の間に配置され、前記ファンが正回転されている状態において、前記開口部から吸引される空気に含まれる粉塵を帯電させて捕捉する粉塵制御部を更に含む投影装置。
【請求項５】
請求項４記載の投影装置であって、
前記粉塵制御部は、前記ファンが逆回転されている状態においては、前記筐体の内部から排出される空気に含まれる粉塵を除電する投影装置。
【請求項６】
請求項１から５のいずれか１項記載の投影装置であって、
前記ファンが逆回転されている状態において前記フィルタを振動させる加振部を更に備える投影装置。
【請求項７】
請求項６記載の投影装置であって、
前記フィルタは、前記第二流路に対し鉛直方向の反対側に配置されている投影装置。
【請求項８】
請求項１から７のいずれか１項記載の投影装置であって、
前記逆流防止部は、前記フィルタと前記筐体の内部とを繋ぐ流路を遮断する位置と前記流路を開放する位置との間で移動する部材と、前記部材を駆動する駆動部と、により構成される投影装置。
【請求項９】
請求項１から８のいずれか１項記載の投影装置であって、
前記開口部は、第一開口部と第二開口部を含み、
前記ファンは、画像を投影する投影モードにおいて正回転され、粉塵の除去を行うための清掃モードにおいて逆回転される吸気ファンであって、正回転されている状態においては前記第一開口部から前記筐体内に空気を取り込み、逆回転されている状態においては前記筐体内の空気を前記第一開口部から排出する吸気ファンと、前記投影モードにおいて逆回転され、前記清掃モードにおいて正回転される排気ファンであって、逆回転されている状態においては前記筐体内の空気を前記第二開口部から排出し、正回転されている状態においては前記第二開口部から前記筐体内に空気を取り込む排気ファンと、を含み、
前記第一開口部と前記吸気ファンの間に設けられた第一ユニットと、
前記第二開口部と前記排気ファンの間に設けられた第二ユニットと、を備え、
前記第一ユニットは、前記ファンを前記吸気ファンとし、前記開口部を前記第一開口部とする、前記第一流路、前記フィルタ、前記第二流路、前記流路切替機構、及び前記逆流防止部を有し、
前記第二ユニットは、前記ファンを前記排気ファンとし、前記開口部を前記第二開口部とする、前記第一流路、前記フィルタ、前記第二流路、前記流路切替機構、及び前記逆流防止部を有する投影装置。
【請求項１０】
開口部を有する筐体と、正回転されている状態においては前記開口部から前記筐体内に空気を取り込み、逆回転されている状態においては前記開口部から前記筐体内の空気を排出するファンと、前記開口部と前記筐体の内部とを繋ぐ第一流路と、前記第一流路に設けられた、粉塵を捕捉するためのフィルタと、を有する投影装置の制御方法であって、
前記ファンが正回転されている状態においては、前記第一流路と、前記第一流路における前記フィルタよりも前記開口部側の部分と前記筐体の内部とを繋ぐ第二流路と、の境界を遮蔽して前記第一流路と前記第二流路を分断し、前記ファンが逆回転されている状態においては、前記第一流路と前記第二流路とを連通させる流路切替ステップと、
前記ファンが正回転されている状態においては前記フィルタを通過した空気を前記筐体の内部に流入させ、前記ファンが逆回転されている状態においては前記筐体の内部から前記フィルタへの空気の流入を防ぐ逆流防止ステップと、を備える投影装置の制御方法。
【請求項１１】
請求項１０記載の投影装置の制御方法であって、
前記流路切替ステップでは、前記第一流路と前記第二流路の境界を遮蔽して前記第一流路と前記第二流路を分断する第一位置と、前記第一流路と前記第二流路の前記境界を開放して前記第一流路と前記第二流路を連通させる第二位置と、の間にて可動部材を移動させる投影装置の制御方法。
【請求項１２】
請求項１１記載の投影装置の制御方法であって、
前記可動部材は、前記境界の前記開口部側の端部に設けられた回転軸の回りに回動自在な部材であり、前記第一位置にある状態から前記第二流路側に回動されて前記第二位置に移動し、
前記可動部材が前記第二位置にある状態における前記可動部材の前記第二流路側の面は、前記境界に対して傾斜又は前記境界から離れる方向に湾曲している投影装置の制御方法。
【請求項１３】
請求項１０から１２のいずれか１項記載の投影装置の制御方法であって、
前記ファンが正回転されている状態において、前記第一流路における前記フィルタと前記開口部の間の部分にて、当該部分を通る空気に含まれる粉塵を帯電させて捕捉する投影装置の制御方法。
【請求項１４】
請求項１３記載の投影装置の制御方法であって、
前記ファンが逆回転されている状態において、前記筐体の内部から前記第一流路に流入する空気に含まれる粉塵を除電する投影装置の制御方法。
【請求項１５】
請求項１０から１４のいずれか１項記載の投影装置の制御方法であって、
前記ファンが逆回転されている状態において前記フィルタを振動させる投影装置の制御方法。
【請求項１６】
請求項１５記載の投影装置の制御方法であって、
前記フィルタは、前記第二流路に対し鉛直方向の反対側に配置されている投影装置の制御方法。
【請求項１７】
請求項１０から１６のいずれか１項記載の投影装置の制御方法であって、
前記逆流防止ステップでは、前記フィルタと前記筐体の内部とを繋ぐ流路を遮断する位置と前記流路を開放する位置との間で移動する部材を移動させることによって、前記流路の遮断と開放を行う投影装置の制御方法。
【発明の詳細な説明】
【技術分野】
【０００１】
本発明は、投影装置とその制御方法に関する。
【背景技術】
【０００２】
投影装置としてのプロジェクタは、光源、光源からの光を空間変調する光変調素子、及び電源回路等の温度上昇の大きい部材を有するため、これらの部材を空気によって冷却するためのファンを搭載するのが一般的である。【０００３】
特許文献１には、外装を構成する筐体と、筐体に設置される開口部と、開口部を介して、正回転動作により外気を筐体内部に吸入し、逆回転動作により筐体内部の空気を電子機器の外部へ排気するファンと、開口部とファンとの間に配置され、塵埃の筐体内部への侵入を防ぐフィルタと、を備えるプロジェクタが記載されている。【０００４】
特許文献２には、筐体に収容される光源を冷却する外気導入ファンと、金属メッシュを介して光源に送風するダクトと、ダクトに開閉可能な金属メッシュ構造を有する仕切板を介して設けられたダストボックスとを有し、光源の消灯時に外気導入ファンの逆回転によりダクトに逆送風をして仕切板が開き、金属メッシュに付着していた塵埃を除去して、ダストボックスに集塵するように構成されたプロジェクタが記載されている。
【先行技術文献】
【特許文献】
【０００５】
【特許文献１】日本国特開２００８−０６０１０８号公報
【特許文献２】日本国特開２００８−１２２５３８号公報
【発明の概要】
【発明が解決しようとする課題】
【０００６】
吸気用ファンに対向して設けられる集塵用のフィルタは、吸気用ファンを正回転させているときには、プロジェクタの筐体外部の粉塵が筐体内部に侵入するのを防ぐ役割を果たす。一方、特許文献１，２に記載されているように、この吸気用ファンを逆回転させた場合には、この逆回転による風圧によって、このフィルタに付着している粉塵の除去が可能となる。しかし、吸気用ファンを逆回転させると、筐体内部に粉塵が存在していた場合には、この粉塵がフィルタに付着する可能性がある。そして、吸気用ファンの正回転時には、この粉塵が筐体内部に戻ってしまうことになる。したがって、筐体内部に侵入してしまった粉塵についてはその除去が難しいという課題がある。特許文献１，２にはこういった課題とその解決手段について記載されていない。【０００７】
本発明は、上記事情に鑑みてなされたものであり、筐体内部の部材への粉塵の付着を防ぐことのできる投影装置とその制御方法を提供することを目的とする。
【課題を解決するための手段】
【０００８】
本発明の投影装置は、開口部を有する筐体と、正回転された状態においては上記開口部から上記筐体内に空気を取り込み、逆回転された状態においては上記開口部から上記筐体内の空気を排出するファンと、上記開口部と上記筐体の内部とを繋ぐ第一流路と、上記第一流路に設けられた、粉塵を捕捉するためのフィルタと、上記第一流路における上記フィルタよりも上記開口部側の部分と、上記筐体の内部とを繋ぐ第二流路と、上記ファンが正回転されている状態においては上記第一流路と上記第二流路との境界を遮蔽して上記第一流路と上記第二流路を分断し、上記ファンが逆回転されている状態においては上記第一流路と上記第二流路とを連通させる流路切替機構と、上記ファンが正回転されている状態においては上記フィルタを通過した空気を上記筐体の内部に流入させ、上記ファンが逆回転されている状態においては上記筐体の内部から上記フィルタへの空気の流入を防ぐ逆流防止部と、を備えるものである。【０００９】
本発明の投影装置の制御方法は、開口部を有する筐体と、正回転されている状態においては上記開口部から上記筐体内に空気を取り込み、逆回転されている状態においては上記開口部から上記筐体内の空気を排出するファンと、上記開口部と上記筐体の内部とを繋ぐ第一流路と、上記第一流路に設けられた、粉塵を捕捉するためのフィルタと、を有する投影装置の制御方法であって、上記ファンが正回転されている状態においては、上記第一流路と、上記第一流路における上記フィルタよりも上記開口部側の部分と上記筐体の内部とを繋ぐ第二流路と、の境界を遮蔽して上記第一流路と上記第二流路を分断し、上記ファンが逆回転されている状態においては、上記第一流路と上記第二流路とを連通させる流路切替ステップと、上記ファンが正回転されている状態においては上記フィルタを通過した空気を上記筐体の内部に流入させ、上記ファンが逆回転されている状態においては上記筐体の内部から上記フィルタへの空気の流入を防ぐ逆流防止ステップと、を備えるものである。
【発明の効果】
【００１０】
本発明によれば、筐体内部の部材への粉塵の付着を防ぐことのできる投影装置とその制御方法を提供することができる。
【図面の簡単な説明】
【００１１】
【図１】本発明の投影装置の一実施形態であるプロジェクタ１００の概略構成を示す模式図である。
【図２】図１に示した吸気ファン７が正回転している状態における図１の範囲Ａの断面模式図である。
【図３】図１に示した吸気ファン７が逆回転している状態における図１の範囲Ａの断面模式図である。
【図４】図１に示すプロジェクタ１００における第一ユニット７０の変形例である第一ユニット７０Ａの概略構成を示す断面模式図である。
【図５】図１に示すプロジェクタ１００における第一ユニット７０の変形例である第一ユニット７０Ｂの概略構成を示す断面模式図である。
【図６】図１に示すプロジェクタ１００における第一ユニット７０の変形例である第一ユニット７０Ｂの概略構成を示す断面模式図である。
【図７】図１に示すプロジェクタ１００の変形例であるプロジェクタ１００Ａの概略構成を示す模式図である。
【図８】図７に示した排気ファン８Ａが正回転している状態における図７の範囲Ｃの断面模式図である。
【図９】図７に示した排気ファン８Ａが逆回転している状態における図７の範囲Ｃの断面模式図である。
【発明を実施するための形態】
【００１２】
以下、本発明の実施形態について図面を参照して説明する。
【００１３】
図１は、本発明の投影装置の一実施形態であるプロジェクタ１００の概略構成を示す模式図である。プロジェクタ１００は、金属又は樹脂等からなる筐体１０と、筐体１０の内部に設けられた、光源ユニット２、光変調素子３、投影光学系４、システム制御部５、吸気ファン７、第一ユニット７０、及び排気ファン８を備える。
【００１４】
光源ユニット２は、白色光を出射する光源２１と、カラーホイール２２と、照明光学系２３と、を備える。光源２１は、レーザ又はＬＥＤ（Ｌｉｇｈｔ  Ｅｍｉｔｔｉｎｇ  Ｄｉｏｄｅ）等の発光素子を含んで構成される。カラーホイール２２は、光源２１と照明光学系２３の間に配置されている。カラーホイール２２は、円板状の部材であり、その周方向に沿って、赤色光を透過するＲフィルタ、緑色光を透過するＧフィルタ、及び青色光を透過するＢフィルタが設けられている。カラーホイール２２は軸周りに回転され、光源２１から出射される白色光を時分割にて赤色光、緑色光、及び青色光に分光して照明光学系２３に導く。照明光学系２３から出射された光は光変調素子３に入射される。
【００１５】
光変調素子３は、照明光学系２３から出射された光を画像データに基づいて空間変調し、空間変調した光を投影光学系４に出射する。
【００１６】
図１に示すプロジェクタ１００は、光変調素子３としてＤＭＤ（Ｄｉｇｉｔａｌ  Ｍｉｃｒｏｍｉｒｒｏｒ  Ｄｅｖｉｃｅ）を用いた例であるが、光変調素子３としては、例えば、ＬＣＯＳ（Ｌｉｑｕｉｄ  ｃｒｙｓｔａｌ  ｏｎ  ｓｉｌｉｃｏｎ）、ＭＥＭＳ（Ｍｉｃｒｏ  Ｅｌｅｃｔｒｏ  Ｍｅｃｈａｎｉｃａｌ  Ｓｙｓｔｅｍｓ）素子、又は液晶表示素子等を用いることも可能である。
【００１７】
投影光学系４は、光変調素子３からの光が入射されるものであり、少なくとも１つのレンズを含む。投影光学系４を通過した光は筐体１０に設けられた開口を通って図示省略のスクリーンに投射される。
【００１８】
吸気ファン７は、筐体１０に形成された開口部によって構成される吸気口１０Ａに対向する位置に設けられている。吸気ファン７は、その回転方向を正逆切替可能となっている。吸気ファン７は、一方向に回転（正回転）されている状態においては、吸気口１０Ａから、後述する第一ユニット７０を介して、筐体１０内に空気を取り込み、この一方向の反対方向に回転（逆回転）されている状態においては、筐体１０内の空気を、第一ユニット７０を介して、吸気口１０Ａから排出する。
【００１９】
吸気ファン７が正回転することによって筐体１０内に取り込まれた空気は、例えば光源２１、光変調素子３、又は図示省略の電源回路等の被冷却部材に吹き当てられて、これらを冷却する。吸気ファン７はシステム制御部５によって制御される。プロジェクタ１００において、吸気口１０Ａは開口部を構成し、吸気ファン７はファンを構成する。
【００２０】
第一ユニット７０は、吸気ファン７と吸気口１０Ａとの間に設けられており、吸気ファン７によって筐体１０内に取り込まれる空気に含まれる粉塵を捕捉し、その粉塵を除去するために設けられている。
【００２１】
排気ファン８は、筐体１０に形成された開口部によって構成される排気口１０Ｂに対向する位置に設けられており、筐体１０内の空気を排気口１０Ｂから排出する。排気ファン８はシステム制御部５によって制御される。排気口１０Ｂには、図示省略のフィルタが嵌合されており、このフィルタによって、排気口１０Ｂから筐体１０内への粉塵の侵入が防止されている。
【００２２】
システム制御部５は、光源ユニット２の制御、光変調素子３の制御、吸気ファン７の制御、第一ユニット７０の制御、及び排気ファン８の制御等を行うものであり、プロセッサと、ＲＯＭ（Ｒｅａｄ  Ｏｎｌｙ  Ｍｅｍｏｒｙ）と、ＲＡＭ（Ｒａｎｄｏｍ  Ａｃｃｓｅｓｓ  Ｍｅｍｏｒｙ）と、を備える。
【００２３】
プロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００２４】
これらプロセッサの構造は、より具体的には、半導体素子等の回路素子を組み合わせた電気回路である。
【００２５】
システム制御部５のプロセッサは、上述した各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００２６】
図２は、図１に示した吸気ファン７が正回転している状態における図１の範囲Ａの断面模式図である。図３は、図１に示した吸気ファン７が逆回転している状態における図１の範囲Ａの断面模式図である。
【００２７】
プロジェクタ１００は、図２及び図３に示された方向Ｙ１が鉛直方向となる姿勢にて使用されることを前提としている。図２及び図３に示された方向Ｙ２は鉛直方向の反対方向である。図２及び図３に示された方向Ｘ２は、吸気ファン７が正回転している状態における筐体１０内への空気Ｗ１の吸引方向である。図２及び図３に示された方向Ｘ１は、吸気ファン７が逆回転している状態における筐体１０内の空気Ｗ２の排出方向であり、方向Ｘ２の反対方向となっている。方向Ｙ１と方向Ｘ１は直交している。以下では、方向Ｙ１と方向Ｙ２を総称して方向Ｙとも言い、方向Ｘ１と方向Ｘ２を総称して方向Ｘとも言う。
【００２８】
図２及び図３に示すように、第一ユニット７０は、筒状のケース７１と、ケース７１の内周部に設けられた固定壁７２、フィルタ７３、逆流防止部７４、及び流路切替機構７５と、を備える。
【００２９】
ケース７１は、吸気口１０Ａ側の端部に、吸気口１０Ａに対向する開口７１ａを有し、吸気ファン７側の端部に、吸気ファン７に対向する開口７１ｂを有している。
【００３０】
固定壁７２は、ケース７１の中空部のうちの吸気ファン７側の約半分の部分を方向Ｙに２分割するように設けられている。固定壁７２によって分割された部分のうちの方向Ｙ２側の部分を上分割部分といい、固定壁７２によって分割された部分のうちの方向Ｙ１側の部分を下分割部分という。
【００３１】
フィルタ７３は、平板状且つメッシュ状のものであり、上分割部分を開口７１ａ側から塞ぐ状態にて配置されている。フィルタ７３は、吸気ファン７が正回転されている状態において吸気口１０Ａから取り込まれる空気Ｗ１に含まれる粉塵を捕捉する。
【００３２】
流路切替機構７５は、方向Ｘ及び方向Ｙと垂直な方向に延びる回転軸７５ｂと、回転軸７５ｂを中心に回動自在に回転軸７５ｂに支持された平板状の可動部材７５ａと、回転軸７５ｂを駆動する図示省略のモータ等の駆動部と、を備える。この駆動部は、システム制御部５によって制御される。
【００３３】
可動部材７５ａは、図２に示したように、吸気ファン７が正回転されている状態においては、上分割部分と下分割部分のうちの上分割部分にのみ空気Ｗ１が流入するように、下分割部分と開口７１ａとの間を塞ぐ第一位置に移動して、ケース７１の中空部に第一流路ＣＨ１を形成する。第一流路ＣＨ１は、固定壁７２の方向Ｙ２側の面と、可動部材７５ａの方向Ｙ２側の面と、回転軸７５ｂと、ケース７１の内周面と、で囲まれる領域によって構成される。
【００３４】
ケース７１の中空部のうちの第一流路ＣＨ１以外の部分は第二流路ＣＨ２となっている。第二流路ＣＨ２は、第一流路ＣＨ１におけるフィルタ７３よりも吸気口１０Ａ側の部分と、筐体１０の内部（吸気ファン７が配置される部分）とを繋ぐ流路である。上述した第一位置は、第一流路ＣＨ１と第二流路ＣＨ２との境界Ｂ（図３参照）を遮蔽して、第一流路ＣＨ１と第二流路ＣＨ２を分断する位置となる。
【００３５】
可動部材７５ａは、図３に示したように、吸気ファン７が逆回転されている状態においては、第一流路ＣＨ１と第二流路ＣＨ２の境界Ｂを開放して第一流路ＣＨ１と第二流路ＣＨ２とを連通させる第二位置（図３参照）に移動する。
【００３６】
第二流路ＣＨ２は、図３に示すように、その吸気口１０Ａ側の端部（可動部材７５ａの面７５ｓ）が境界Ｂに対して傾斜する構成となっている。
【００３７】
逆流防止部７４は、第一流路ＣＨ１におけるフィルタ７３とケース７１の開口７１ｂとの間の流路を遮断（閉鎖）する図３に示した位置と、この流路を開放する図２に示した位置との間にて移動可能な部材であるシャッタ部材７４ａと、シャッタ部材７４ａを駆動する駆動部であるモータ７４ｂと、を備える。モータ７４ｂはシステム制御部５によって制御される。
【００３８】
シャッタ部材７４ａは、図２に示したように、吸気ファン７が正回転されている状態においては、第一流路ＣＨ１におけるフィルタ７３と開口７１ｂとの間の流路を開放する位置（以下、開放位置という）に移動して、吸気口１０Ａから取り込まれてフィルタ７３を通過する空気Ｗ１を、ケース７１の開口７１ｂから筐体１０内部へと流入させる。
【００３９】
シャッタ部材７４ａは、図３に示したように、吸気ファン７が逆回転されている状態においては、第一流路ＣＨ１におけるフィルタ７３と開口７１ｂとの間の流路を遮断する位置（以下、遮断位置という）に移動して、筐体１０内部からの空気Ｗ２が、フィルタ７３における開口７１ｂ側の面に流入するのを防ぐ。
【００４０】
以上のように構成されプロジェクタ１００には、スクリーンへの画像の投影を行う投影モードに加えて、第一ユニット７０のフィルタ７３に捕捉された粉塵を除去するための清掃モードが設けられている。この清掃モードは、例えば、プロジェクタ１００の電源をオフにする操作がなされた場合等に自動的に開始されたり、手動にて開始させたりすることができる。
【００４１】
システム制御部５は、投影モードにおいては、図２に示すように、吸気ファン７を正回転させ、モータ７４ｂを制御してシャッタ部材７４ａを開放位置に移動させ、回転軸７５ｂを駆動する駆動部を制御して可動部材７５ａを第一位置に移動させる。
【００４２】
これらの制御により、吸気ファン７が正回転されている状態においては、吸気口１０Ａから取り込まれてケース７１の開口７１ａに入流した空気Ｗ１は、フィルタ７３を通過して、ケース７１の開口７１ｂから筐体１０の内部へと流入する。投影モードにおいては、空気Ｗ１に含まれる粉塵は、フィルタ７３によって捕捉されるため、筐体１０内部への侵入は防止される。
【００４３】
システム制御部５は、清掃モードにおいては、図３に示すように、吸気ファン７を逆回転させ、モータ７４ｂを制御してシャッタ部材７４ａを遮断位置に移動させ、回転軸７５ｂを駆動する駆動部を制御して可動部材７５ａを第二位置に移動させる。
【００４４】
これらの制御により、吸気ファン７が逆回転されている状態においては、筐体１０内部の空気Ｗ２は、フィルタ７３の開口７１ｂ側（筐体１０内部側）の面に流入することはない。また、この空気Ｗ２は、第二流路ＣＨ２から第一流路ＣＨ１を通り、吸気口１０Ａから排出される。また、この空気Ｗ２の流れによって、投影モードにおいてフィルタ７３の吸気口１０Ａ側の面に捕捉されていた粉塵は、方向Ｘ１へと吹き飛ばされて除去される。
【００４５】
ここで、空気Ｗ２に粉塵が含まれていた場合を想定すると、清掃モードにおいては、フィルタ７３の開口７１ｂ側の面への空気Ｗ２の流入は防止されている。このため、この粉塵がフィルタ７３の開口７１ｂ側の面に付着することはない。したがって、投影モードにおいて、筐体１０内部に存在していた粉塵が筐体１０に逆戻りするといったことは防止される。
【００４６】
システム制御部５は、清掃モードを開始してから予め決められた時間が経過すると、吸気ファン７を停止させ、更に、可動部材７５ａを第一位置に移動させて清掃モードを終了する。これにより、清掃モード終了後に、吸気口１０Ａから筐体１０の内部に粉塵が侵入するのが防止される。
【００４７】
以上のようにプロジェクタ１００によれば、清掃モードにおいては、筐体１０内部の空気Ｗ２が第二流路ＣＨ２から第一流路ＣＨ１を通って吸気口１０Ａから排出される。このため、この空気Ｗ２の流れによって、投影モード時にフィルタ７３に捕捉されていた粉塵を除去することができ、フィルタ７３の目詰まりを防ぐことができる。
【００４８】
また、プロジェクタ１００によれば、筐体１０内部に粉塵が存在していた場合であっても、清掃モードにおいて、この粉塵を、フィルタ７３の筐体１０内部側の面に付着させることなく、吸気口１０Ａから排出することができる。このため、投影モード時に、この粉塵が筐体１０の内部に戻ることはなく、筐体１０内部の部材への粉塵の付着を防ぐことができる。
【００４９】
また、プロジェクタ１００によれば、清掃モードが終了すると、シャッタ部材７４ａは遮断位置に維持され、可動部材７５ａは第一位置に移動される。このため、吸気口１０Ａからケース７１に粉塵が侵入した場合であっても、この粉塵をフィルタ７３にて捕捉することができる。したがって、プロジェクタ１００の非使用時における筐体１０内部への粉塵の侵入を防ぐことができる。
【００５０】
また、プロジェクタ１００によれば、第二流路ＣＨ２の吸気口１０Ａ側の端部が境界Ｂに対して傾斜している。このため、清掃モードにおいて、第二流路ＣＨ２から第一流路ＣＨ１に流れる空気Ｗ２の流れをスムーズにすることができ、フィルタ７３に付着した粉塵の除去効果を高めることができる。なお、可動部材７５ａの面７５ｓは、境界Ｂに対し境界Ｂから離れる方向に湾曲していてもよい。この構成であっても同様に、第二流路ＣＨ２から第一流路ＣＨ１に流れる空気Ｗ２の流れをスムーズにすることができ、フィルタ７３に付着した粉塵の除去効果を高めることができる。
【００５１】
また、プロジェクタ１００によれば、フィルタ７３が、第二流路ＣＨ２に対し鉛直方向の反対側に配置されている。このため、空気Ｗ２によって舞い上げられた粉塵が重力によって第二流路ＣＨ２側に移動しやすくなる。その結果、粉塵の除去効果を高かめることができる。もちろん、プロジェクタ１００は、図２及び図３に示した方向Ｙ２が鉛直方向となる姿勢にて使用されてもよいし、方向Ｙ及び方向Ｘと垂直な方向が鉛直方向となる姿勢にて使用されてもよい。
【００５２】
なお、第一ユニット７０の流路切替機構７５は、境界Ｂを遮蔽する位置と境界Ｂを開放する位置との間で方向Ｘに移動するシャッタによって構成してもよい。図２及び図３に示したように、可動部材７５ａを回動させて第一位置と第二位置を切り替える構成によれば、流路切替機構７５の小型化が可能となる。また、投影モードにおいて可動部材７５ａの面７５ｓに付着してしまった粉塵を清掃モードにおいて除去することができ、筐体１０内部への粉塵の侵入を強固に防ぐことができる。また、第一ユニット７０の流路切替機構７５は、例えば、第二流路ＣＨ２における開口７１ｂ側の端部に設けられる構成であってもよい。
【００５３】
また、逆流防止部７４は、方向Ｘ２に向かう空気はそのまま通過させ、方向Ｘ１に向かう空気はこれを遮断する逆止弁によって構成されていてもよい。逆止弁を採用することで電気的な駆動が不要となり、プロジェクタ１００の製造コスト低減と小型化が可能になる。一方、図２及び図３に示したように、シャッタ部材７４ａの開閉によってフィルタ７３への空気の逆流を防ぐ構成によれば、逆止弁を採用した場合と比較すると、投影モードにおいて多くの空気を筐体１０内部に取り込むことができ、被冷却部材の冷却効果を高めることが可能である。
【００５４】
図４は、図１に示すプロジェクタ１００における第一ユニット７０の変形例である第一ユニット７０Ａの概略構成を示す断面模式図である。第一ユニット７０Ａは、加振部７６が追加された点を除いては第一ユニット７０と同じ構成である。
【００５５】
加振部７６は、フィルタ７３を振動させるためのデバイスであり、例えば超音波振動子とこれを駆動する駆動素子等を含んで構成されている。加振部７６はシステム制御部５によって制御される。
【００５６】
システム制御部５は、吸気ファン７を逆回転させている状態においては、加振部７６を作動させて、フィルタ７３を振動させる。システム制御部５は、吸気ファン７を正回転又は停止させている状態においては、加振部７６を停止する。
【００５７】
この第一ユニット７０Ａを搭載するプロジェクタ１００によれば、吸気ファン７が逆回転されている状態においてはフィルタ７３が振動し、フィルタ７３に捕捉されていた粉塵がフィルタ７３から離間しやすくなる。このため、この粉塵の除去効果を高めることができる。特に、フィルタ７３は、第二流路ＣＨ２に対し鉛直方向の反対側に配置されているため、加振部７６によってフィルタ７３から離間した粉塵を第二流路ＣＨ２側に移動させやすくなり、粉塵を効果的に除去することができる。
【００５８】
図５及び図６は、図１に示すプロジェクタ１００における第一ユニット７０の変形例である第一ユニット７０Ｂの概略構成を示す断面模式図である。図５は吸気ファン７が正回転されている状態を示し、図６は吸気ファン７が逆回転されている状態を示している。第一ユニット７０Ｂは、粉塵制御部７７が追加された点を除いては第一ユニット７０と同じ構成である。
【００５９】
粉塵制御部７７は、コロナ放電等によって空気中に含まれる粉塵を帯電させて捕捉する帯電機能と、コロナ放電等によって空気中に含まれる粉塵を除電して付着しにくくする除電機能と、を切替可能な装置によって構成される。粉塵制御部７７は、第一流路ＣＨ１におけるフィルタ７３と吸気口１０Ａの間に配置されている。
【００６０】
粉塵制御部７７は、吸気ファン７が正回転されている図５の状態においては、吸気口１０Ａから吸引される空気Ｗ１に含まれる粉塵を帯電させて金属板等にて捕捉する。粉塵制御部７７は、吸気ファン７が逆回転されている図６の状態においては、筐体１０の内部からケース７１内に取り込まれて第一流路ＣＨ１に流入する空気Ｗ２に含まれる粉塵を除電する。
【００６１】
この第一ユニット７０Ｂを搭載するプロジェクタ１００によれば、吸気ファン７が正回転されている状態においては、空気Ｗ１に含まれる粉塵が粉塵制御部７７によって帯電される。そして、帯電された粉塵は、その一部が粉塵制御部７７の金属板等に捕捉されると共に、その残りはフィルタ７３にて捕捉される。フィルタ７３に進む粉塵は帯電されたものであるため、フィルタ７３にて容易に捕捉することができる。
【００６２】
また、第一ユニット７０Ｂを搭載するプロジェクタ１００によれば、吸気ファン７が逆回転されている状態においては、空気Ｗ２に含まれる粉塵と、投影モード時に粉塵制御部７７の金属板及びフィルタ７３に捕捉されていた粉塵とが粉塵制御部７７によって除電される。このため、これらの粉塵を空気Ｗ２によって吸気口１０Ａから容易に排出することができるようになる。
【００６３】
以上のように、第一ユニット７０Ｂによれば、投影モードにおいては、粉塵制御部７７の粉塵の捕捉作用によってフィルタ７３に到達する粉塵を減らすことができるため、筐体１０内部への吸気量を多くすることができ、冷却効果を高めることができる。また、清掃モードにおいては、筐体１０内部にあった粉塵又は投影モード時に捕捉された粉塵の除去効果を高めることができる。
【００６４】
図７は、図１に示すプロジェクタ１００の変形例であるプロジェクタ１００Ａの概略構成を示す模式図である。プロジェクタ１００Ａは、排気ファン８が排気ファン８Ａに変更された点と、第一ユニット７０と同じ構造の第二ユニット８０が排気口１０Ｂと排気ファン８Ａの間に設けられた点と、を除いては、プロジェクタ１００と同じ構成である。
【００６５】
排気ファン８Ａは、排気口１０Ｂに対向する位置に設けられている。排気ファン８Ａは、その回転方向を正逆切替可能となっている。排気ファン８Ａは、一方向に回転（正回転）されている状態においては、第二ユニット８０を介して、排気口１０Ｂから筐体１０内に空気を取り込み、この一方向の逆方向に回転（逆回転）されている状態においては、筐体１０内の空気を、第二ユニット８０を介して、排気口１０Ｂから排出する。
【００６６】
プロジェクタ１００Ａにおいて、吸気口１０Ａは第一開口部を構成し、排気口１０Ｂは第二開口部を構成する。
【００６７】
プロジェクタ１００Ａのシステム制御部５は、投影モードにおいては排気ファン８Ａを逆回転させ、清掃モードにおいては排気ファン８Ａを正回転させる。
【００６８】
図８は、図７に示した排気ファン８Ａが正回転している状態における図７の範囲Ｃの断面模式図である。図９は、図７に示した排気ファン８Ａが逆回転している状態における図７の範囲Ｃの断面模式図である。
【００６９】
図８は、吸気口１０Ａが排気口１０Ｂに変更され、吸気ファン７が排気ファン８Ａに変更され、第一ユニット７０がこれと同じ構造の第二ユニット８０に変更され、空気Ｗ１が空気Ｗ２に変更された点を除いては図２と同じである。
【００７０】
図９は、吸気口１０Ａが排気口１０Ｂに変更され、吸気ファン７が排気ファン８Ａに変更され、第一ユニット７０がこれと同じ構造の第二ユニット８０に変更され、空気Ｗ２が空気Ｗ１に変更された点を除いては図３と同じである。
【００７１】
プロジェクタ１００Ａのシステム制御部５は、投影モードにおいては、図９に示すように、排気ファン８Ａを逆回転させ、第二ユニット８０の可動部材７５ａを第二位置に移動させ、第二ユニット８０のシャッタ部材７４ａを遮断位置に移動させる。プロジェクタ１００Ａのシステム制御部５は、清掃モードにおいては、図８に示すように、排気ファン８Ａを正回転させ、第二ユニット８０の可動部材７５ａを第一位置に移動させ、第二ユニット８０のシャッタ部材７４ａを開放位置に移動させる（図８参照）。
【００７２】
以上の構成のプロジェクタ１００Ａは、投影モードにおいては、吸気ファン７が正回転し、第一ユニット７０を介して筐体１０内に空気Ｗ１を取り入れ、この空気Ｗ１によって被冷却部材を冷却する。また、投影モードにおいては、排気ファン８Ａが逆回転し、吸気ファン７の正回転によって筐体１０に取り入れられた空気Ｗ１は、図９に示すように、第二ユニット８０の第二流路ＣＨ２から第一流路ＣＨ１を経由して排気口１０Ｂから排出される。
【００７３】
また、プロジェクタ１００Ａは、清掃モードにおいては、排気ファン８Ａが正回転し、図８に示すように、第二ユニット８０の第一流路ＣＨ１を介して、排気口１０Ｂから筐体１０内に空気Ｗ２を取り入れる。また、清掃モードにおいては、吸気ファン７が逆回転し、排気ファン８Ａの正回転によって筐体１０に取り入れられた空気Ｗ２は、図３に示すように、第一ユニット７０の第二流路ＣＨ２から第一流路ＣＨ１を経由して吸気口１０Ａから排出される。
【００７４】
このように、排気口１０Ｂと排気ファン８Ａの間に第二ユニット８０を設けることで、吸気ファン７を正回転させている状態（排気ファン８Ａを逆回転させている状態）においては、筐体１０内に取り込まれた空気Ｗ１の排出をスムーズに行うことができると共に、第二ユニット８０のフィルタ７３に付着した粉塵を外部に吹き飛ばして除去することができる。また、吸気ファン７を逆回転させている状態（排気ファン８Ａを正回転させている状態）においては、排気口１０Ｂから取り込まれる空気Ｗ２が必ずフィルタ７３を通過するため、排気口１０Ｂから筐体１０内への粉塵の侵入を防ぐことができる。
【００７５】
なお、プロジェクタ１００Ａにおいても、第二ユニット８０に、フィルタ７３を振動させる加振部を設けることが好ましい。プロジェクタ１００Ａのシステム制御部５は、排気ファン８Ａを逆回転させている図９に示す状態において、この加振部を作動させて第二ユニット８０のフィルタ７３を振動させればよい。これにより、第二ユニット８０のフィルタ７３に付着した粉塵を効果的に除去することができる。
【００７６】
また、プロジェクタ１００Ａにおいても、第二ユニット８０に、図５及び図６に示した粉塵制御部７７を設けることが好ましい。プロジェクタ１００Ａのシステム制御部５は、排気ファン８Ａを逆回転させている図９に示す状態において、この粉塵制御部７７によって除電を行い、排気ファン８Ａを正回転させている図８に示す状態において、この粉塵制御部７７によって粉塵を帯電させて捕捉すればよい。
【００７７】
また、第一ユニット７０、７０Ａ、７０Ｂに対向して設けられる吸気ファン７は、１つのファンで構成するのではなく、吸気専用ファンと排気専用ファンとによって構成されていてもよい。具体的には、例えば、図２に示す第一ユニット７０において、吸気専用ファンは、第一流路ＣＨ１の吸気口１０Ａ側と反対側の端部に対向して配置し、排気専用ファンは、第二流路ＣＨ２の境界７５ｓ側と反対側の端部に対向して配置する。そして、システム制御部５は、投影モードにおいては、吸気専用ファンを回転させ且つ排気専用ファンは停止させて吸気口１０Ａから第一流路ＣＨ１を通して筐体１０内部に空気Ｗ１を取り込む。システム制御部５は、清掃モードにおいては、吸気専用ファンを停止させ且つ排気専用ファンは回転させて筐体１０内部の空気Ｗ２を第二流路ＣＨ２と第一流路ＣＨ１を通して吸気口１０Ａから排出する。このように各流路に対して個別に別々のファンを用いることで、投影モードと清掃モードにおける空気の流れを高精度に制御することが可能である。
【００７８】
同様に、第二ユニット８０に対向して設けられる排気ファン８Ａは、１つのファンで構成するのではなく、排気専用ファンと吸気専用ファンとによって構成されていてもよい。具体的には、例えば、図８に示す第二ユニット８０において、吸気専用ファンは、第一流路ＣＨ１の排気口１０Ｂ側と反対側の端部に対向して配置し、排気専用ファンは、第二流路ＣＨ２の境界７５ｓ側と反対側の端部に対向して配置する。そして、システム制御部５は、清掃モードにおいては、吸気専用ファンを回転させ且つ排気専用ファンは停止させて排気口１０Ｂから第一流路ＣＨ１を通して筐体１０内部に空気Ｗ２を取り込む。システム制御部５は、投影モードにおいては、吸気専用ファンを停止させ且つ排気専用ファンは回転させて筐体１０内部の空気Ｗ１を第二流路ＣＨ２と第一流路ＣＨ１を通して排気口１０Ｂから排出する。このように各流路に対して個別に別々のファンを用いることで、投影モードと清掃モードにおける空気の流れを高精度に制御することが可能である。
【００７９】
以上説明してきたように、本明細書には以下の事項が開示されている。
【００８０】
（１）
開口部を有する筐体と、
正回転された状態においては上記開口部から上記筐体内に空気を取り込み、逆回転された状態においては上記開口部から上記筐体内の空気を排出するファンと、
上記開口部と上記筐体の内部とを繋ぐ第一流路と、
上記第一流路に設けられた、粉塵を捕捉するためのフィルタと、
上記第一流路における上記フィルタよりも上記開口部側の部分と、上記筐体の内部とを繋ぐ第二流路と、
上記ファンが正回転されている状態においては上記第一流路と上記第二流路との境界を遮蔽して上記第一流路と上記第二流路を分断し、上記ファンが逆回転されている状態においては上記第一流路と上記第二流路とを連通させる流路切替機構と、
上記ファンが正回転されている状態においては上記フィルタを通過した空気を上記筐体の内部に流入させ、上記ファンが逆回転されている状態においては上記筐体の内部から上記フィルタへの空気の流入を防ぐ逆流防止部と、を備える投影装置。
【００８１】
（２）
（１）記載の投影装置であって、
上記流路切替機構は、上記第一流路と上記第二流路との境界を遮蔽して上記第一流路と上記第二流路を分断する第一位置と、上記第一流路と上記第二流路の上記境界を開放して上記第一流路と上記第二流路を連通させる第二位置と、の間にて移動する可動部材と、上記可動部材を駆動する駆動部と、により構成される投影装置。
【００８２】
（３）
（２）記載の投影装置であって、
上記第二流路の上記開口部側の端部は、上記境界に対して傾斜又は上記境界から離れる方向に湾曲している投影装置。
【００８３】
（４）
（１）から（３）のいずれか１つに記載の投影装置であって、
上記第一流路における上記フィルタと上記開口部の間に配置され、上記ファンが正回転されている状態において、上記開口部から吸引される空気に含まれる粉塵を帯電させて捕捉する粉塵制御部を更に含む投影装置。
【００８４】
（５）
（４）記載の投影装置であって、
上記粉塵制御部は、上記ファンが逆回転されている状態においては、上記筐体の内部から排出される空気に含まれる粉塵を除電する投影装置。
【００８５】
（６）
（１）から（５）のいずれか１つに記載の投影装置であって、
上記ファンが逆回転されている状態において上記フィルタを振動させる加振部を更に備える投影装置。
【００８６】
（７）
（６）記載の投影装置であって、
上記フィルタは、上記第二流路に対し鉛直方向の反対側に配置されている投影装置。
【００８７】
（８）
（１）から（７）のいずれか１つに記載の投影装置であって、
上記逆流防止部は、上記フィルタと上記筐体の内部とを繋ぐ流路を遮断する位置と上記流路を開放する位置との間で移動する部材と、上記部材を駆動する駆動部と、により構成される投影装置。
【００８８】
（９）
（１）から（８）のいずれか１つに記載の投影装置であって、
上記開口部は、第一開口部と第二開口部を含み、
上記ファンは、画像を投影する投影モードにおいて正回転され、粉塵の除去を行うための清掃モードにおいて逆回転される吸気ファンであって、正回転されている状態においては上記第一開口部から上記筐体内に空気を取り込み、逆回転されている状態においては上記筐体内の空気を上記第一開口部から排出する吸気ファンと、上記投影モードにおいて逆回転され、上記清掃モードにおいて正回転される排気ファンであって、逆回転されている状態においては上記筐体内の空気を上記第二開口部から排出し、正回転されている状態においては上記第二開口部から上記筐体内に空気を取り込む排気ファンと、を含み、
上記第一開口部と上記吸気ファンの間に設けられた第一ユニットと、
上記第二開口部と上記排気ファンの間に設けられた第二ユニットと、を備え、
上記第一ユニットは、上記ファンを上記吸気ファンとし、上記開口部を上記第一開口部とする、上記第一流路、上記フィルタ、上記第二流路、上記流路切替機構、及び上記逆流防止部を有し、
上記第二ユニットは、上記ファンを上記排気ファンとし、上記開口部を上記第二開口部とする、上記第一流路、上記フィルタ、上記第二流路、上記流路切替機構、及び上記逆流防止部を有する投影装置。
【００８９】
（１０）
開口部を有する筐体と、正回転されている状態においては上記開口部から上記筐体内に空気を取り込み、逆回転されている状態においては上記開口部から上記筐体内の空気を排出するファンと、上記開口部と上記筐体の内部とを繋ぐ第一流路と、上記第一流路に設けられた、粉塵を捕捉するためのフィルタと、を有する投影装置の制御方法であって、
上記ファンが正回転されている状態においては、上記第一流路と、上記第一流路における上記フィルタよりも上記開口部側の部分と上記筐体の内部とを繋ぐ第二流路と、の境界を遮蔽して上記第一流路と上記第二流路を分断し、上記ファンが逆回転されている状態においては、上記第一流路と上記第二流路とを連通させる流路切替ステップと、
上記ファンが正回転されている状態においては上記フィルタを通過した空気を上記筐体の内部に流入させ、上記ファンが逆回転されている状態においては上記筐体の内部から上記フィルタへの空気の流入を防ぐ逆流防止ステップと、を備える投影装置の制御方法。
【００９０】
（１１）
（１０）記載の投影装置の制御方法であって、
上記流路切替ステップでは、上記第一流路と上記第二流路の境界を遮蔽して上記第一流路と上記第二流路を分断する第一位置と、上記第一流路と上記第二流路の上記境界を開放して上記第一流路と上記第二流路を連通させる第二位置と、の間にて可動部材を移動させる投影装置の制御方法。
【００９１】
（１２）
（１１）記載の投影装置の制御方法であって、
上記可動部材は、上記境界の上記開口部側の端部に設けられた回転軸の回りに回動自在な部材であり、上記第一位置にある状態から上記第二流路側に回動されて上記第二位置に移動し、
上記可動部材が上記第二位置にある状態における上記可動部材の上記第二流路側の面は、上記境界に対して傾斜又は上記境界から離れる方向に湾曲している投影装置の制御方法。
【００９２】
（１３）
（１０）から（１２）のいずれか１つに記載の投影装置の制御方法であって、
上記ファンが正回転されている状態において、上記第一流路における上記フィルタと上記開口部の間の部分にて、その部分を通る空気に含まれる粉塵を帯電させて捕捉する投影装置の制御方法。
【００９３】
（１４）
（１３）記載の投影装置の制御方法であって、
上記ファンが逆回転されている状態において、上記筐体の内部から上記第一流路に流入する空気に含まれる粉塵を除電する投影装置の制御方法。
【００９４】
（１５）
（１０）から（１４）のいずれか１つに記載の投影装置の制御方法であって、
上記ファンが逆回転されている状態において上記フィルタを振動させる投影装置の制御方法。
【００９５】
（１６）
（１５）記載の投影装置の制御方法であって、
上記フィルタは、上記第二流路に対し鉛直方向の反対側に配置されている投影装置の制御方法。
【００９６】
（１７）
（１０）から（１６）のいずれか１つに記載の投影装置の制御方法であって、
上記逆流防止ステップでは、上記フィルタと上記筐体の内部とを繋ぐ流路を遮断する位置と上記流路を開放する位置との間で移動する部材を移動させることによって、上記流路の遮断と開放を行う投影装置の制御方法。
【００９７】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【００９８】
なお、本出願は、２０１８年８月３１日出願の日本特許出願（特願２０１８−１６３２１１）に基づくものであり、その内容は本出願の中に参照として援用される。
【産業上の利用可能性】
【００９９】
本発明は、液晶プロジェクタ等に適用して利便性が高く、有効である。
【符号の説明】
【０１００】
１００、１００Ａ  プロジェクタ
２  光源ユニット
２１  光源
２２  カラーホイール
２３  照明光学系
３  光変調素子
４  投影光学系
５  システム制御部
７  吸気ファン
７０、７０Ａ、７０Ｂ  第一ユニット
７１  ケース
７１ａ、７１ｂ  開口
７２  固定壁
７３  フィルタ
７４  逆流防止部
７４ａ  シャッタ部材
７４ｂ  モータ
７５  流路切替機構
７５ａ  可動部材
７５ｂ  回転軸
７５ｓ  面
７６  加振部
７７  粉塵制御部
Ｗ１、Ｗ２  空気
８、８Ａ  排気ファン
８０  第二ユニット
１０  筐体
１０Ａ  吸気口
１０Ｂ  排気口
Ａ、Ｃ  範囲
Ｂ  境界
ＣＨ１  第一流路
ＣＨ２  第二流路
【図１】
0006877652.tif 000002
【図２】
0006877652.tif 000003
【図３】
0006877652.tif 000004
【図４】
0006877652.tif 000005
【図５】
0006877652.tif 000006
【図６】
0006877652.tif 000007
【図７】
0006877652.tif 000008
【図８】
0006877652.tif 000009
【図９】
0006877652.tif 000010